(57)【要約】【課題】歌詞テロップ等の撮影を禁止し得るカラオケ装置等を提供する。【解決手段】カラオケシステムは、カラオケ装置１００と、サーバ６００を有し、カラオケ装置１００は、コマンダ２００、ＳＴＢ３００、カメラ４１０、第１ディスプレイ４２１等を有する。著作権フラグが付帯された再生映像データＰｖに係る楽曲を歌唱する歌唱者Ｓの様子を撮影し、アップロードする場合、カラオケ装置１００は、第１ディスプレイ４２１等にビデオ信号Ｖｉを出力すると共に、カメラ４１０に著作権信号Ｃｒを出力する（Ｓ５）。著作権信号Ｃｒに基づき、カメラ４１０は、アクチュエータ４１６を制御し、第１ディスプレイ４２１等の表示側偏光フィルタ４２５を透過した直線偏光Ｐを、撮影側偏光フィルタ４１５で遮断しつつ、歌唱者Ｓの様子を撮影する（Ｓ１２〜Ｓ１５）。カラオケ装置１００は、撮影内容に係る投稿動画データＣｏを、サーバ６００へアップロードする。【選択図】図２
2011137983.tif 000002
【特許請求の範囲】
【請求項１】
ディスプレイ、カメラ、記録手段、映像出力制御手段、音声出力手段、とを備えるカラオケ装置であって、
前記音声出力手段は、カラオケデータに含まれる楽音情報に基づいて、音声信号を出力し、
前記映像出力制御手段は、
前記カラオケデータに含まれる映像信号を前記ディスプレイに出力可能であり、
前記カラオケデータに対する制御情報を取得し、
前記制御情報に基づいて、前記カメラに対して制御信号を出力し、
前記ディスプレイは、
前記カラオケデータに含まれる映像信号に基づく光を出射する映像出力装置と、
前記映像出力装置から出射された光における特定の直線偏光のみを透過する第１偏光手段と、を有し、
前記カメラは、
レンズを介して前記カメラの撮像手段の撮像面に入射された光に基づき撮影し、
前記撮像面側に配設され、当該撮像面へ向かう光における特定の直線偏光のみを透過する第２偏光手段と、
前記制御信号を受信した場合に、当該制御信号に基づいて、前記第２偏光手段を前記撮像面を軸として回転させ、前記第１偏光手段を透過した光を遮断する偏光制御手段と、を有し、
前記記録手段は、前記カメラが撮影した映像信号を記録する
ことを特徴とするカラオケ装置。
【請求項２】
請求項１記載のカラオケ装置であって、
前記カラオケデータは、背景画像及び歌詞テロップを含み、
前記制御情報は、当該カラオケデータに含まれる背景画像と歌詞テロップの少なくとも一方に関する記録の禁止するか否かを示し、
前記偏光制御手段は、
前記記録の禁止を示す制御情報に基づく制御信号を受信した場合に、前記第２偏光手段を前記撮像面の中心を軸に回転させ、前記第１偏光手段を透過した光を遮断し、
前記記録の許可を示す制御情報に基づく制御信号を受信した場合に、前記第２偏光手段を前記撮像面の中心を軸に回転させ、前記第１偏光手段を透過した光を前記撮像面へ透過させる
ことを特徴とするカラオケ装置。
【請求項３】
請求項１又は請求項２記載のカラオケ装置であって、
前記偏光制御手段は、
前記第２偏光手段の吸収軸が前記第１偏光手段の偏光軸と平行な状態にすることで、前記第１偏光手段を透過した光を、前記第２偏光手段によって遮断し、
前記第２偏光手段の偏光軸が前記第１偏光手段の偏光軸と平行な状態にすることで、前記第１偏光手段を透過した光を、前記撮像面へ透過させる
ことを特徴とするカラオケ装置。
【請求項４】
請求項１乃至請求項３の何れかに記載のカラオケ装置であって、
前記ディスプレイは、
液晶ディスプレイにより構成されている
ことを特徴とするカラオケ装置。
【請求項５】
ディスプレイ、カメラ、コマンダからなるカラオケシステムにおいて、
前記ディスプレイは、
カラオケデータに含まれる映像信号に基づく光を出射する映像出力装置と、
前記映像出力装置から出射された光における特定の直線偏光のみを透過する第１偏光手段と、を有し、
前記カメラは、
レンズを介して前記カメラの撮像手段の撮像面に入射された光に基づき撮影し、
前記撮像面側に配設され、当該撮像面へ向かう光における特定の直線偏光のみを透過する第２偏光手段と、
前記制御信号を受信した場合に、当該制御信号に基づいて、前記第２偏光手段を前記撮像面の中心を軸として回転させ、前記第１偏光手段を透過した光を遮断する偏光制御手段と、を有し、
前記コマンダは、
前記ディスプレイに接続され、
前記カラオケデータに含まれる映像信号を、前記ディスプレイに出力可能であり、
前記カメラに接続され、
前記カメラが撮影した映像信号を記憶する記憶手段と、を有し、
前記カラオケデータに対する制御情報を取得し、
前記制御情報に基づいて、前記カメラに対して制御信号を出力することで、前記偏光制御手段を制御して、前記第１偏光手段を透過した光を遮断する
ことを特徴とするカラオケシステム。
【請求項６】
請求項５記載のカラオケシステムであって、
前記ディスプレイは、
液晶ディスプレイにより構成されている
ことを特徴とするカラオケシステム。
【発明の詳細な説明】
【技術分野】
【０００１】
本発明は、歌唱者の映像を記録することができるカラオケ装置、カラオケシステムに関する。
【背景技術】
【０００２】
従来、歌唱者の歌唱内容を記録可能なカラオケ装置が提案されている。例えば、特許文献１記載のカラオケ録音装置は、歌唱者の歌声を伴奏音楽と共に記録する。又、当該カラオケ録音装置は、伴奏音楽のみを記録し得るように構成されている。
【０００３】
【特許文献１】特開２００３−１６７５９２号公報
【発明の開示】
【発明が解決しようとする課題】
【０００４】
ここで、カラオケ装置の分野においては、歌唱者の歌声のみならず歌唱者の歌唱の様子を撮影し映像として記録することにより、サービスの多様化、充実化を図り得る。このようなサービスを提供することは、カラオケ事業者にとって、集客力の向上という観点から好ましい。
【０００５】
通常、カラオケシステムにおいて、歌唱者は、ディスプレイに表示された歌詞テロップを見ながら歌唱を行う。又、楽曲の再生中、所定の背景映像が前記ディスプレイに表示される。ここで、歌唱者の歌唱の様子を撮影する場合、前記ディスプレイの内容が、歌唱者と共に撮影・記録され得る。この点、歌詞テロップや背景映像の記録が禁止されたコンテンツを用いてカラオケ歌唱が行われる場合、当該歌詞テロップや背景映像の記録を禁止し得る構成が必要である。
【０００６】
本発明は、上記問題点を解決するためになされたものであり、記録が禁止されているカラオケコンテンツを用いた場合であっても、歌唱者の歌唱の様子を撮影し映像として記録し得るカラオケ装置等を提供することを目的とする。
【課題を解決するための手段】
【０００７】
本発明の一側面に係る請求項１記載のカラオケ装置は、ディスプレイ、カメラ、記録手段、映像出力制御手段、音声出力手段、とを備えるカラオケ装置であって、前記音声出力手段は、カラオケデータに含まれる楽音情報に基づいて、音声信号を出力し、前記映像出力制御手段は、前記カラオケデータに含まれる映像信号を前記ディスプレイに出力可能であり、前記カラオケデータに対する制御情報を取得し、前記制御情報に基づいて、前記カメラに対して制御信号を出力し、前記ディスプレイは、前記カラオケデータに含まれる映像信号に基づく光を出射する映像出力装置と、前記映像出力装置から出射された光における特定の直線偏光のみを透過する第１偏光手段と、を有し、前記カメラは、レンズを介して前記カメラの撮像手段の撮像面に入射された光に基づき撮影し、前記撮像面側に配設され、当該撮像面へ向かう光における特定の直線偏光のみを透過する第２偏光手段と、前記制御信号を受信した場合に、当該制御信号に基づいて、前記第２偏光手段を前記撮像面を軸として回転させ、前記第１偏光手段を透過した光を遮断する偏光制御手段と、を有し、前記記録手段は、前記カメラが撮影した映像信号を記録することを特徴とする。
【０００８】
当該カラオケ装置は、カラオケデータに対する制御情報に基づく制御信号に従って、前記偏光制御手段により、第２偏光手段を撮像面を軸として回転させ、前記第１偏光手段を透過した光を遮断する。この場合、前記ディスプレイに、カラオケデータに基づく映像信号に係る映像が表示されていても、カメラが撮影した映像信号は、ディスプレイに表示されている映像内容を含むことはない。これにより、当該カラオケ装置は、映像の記録が禁止されている場合に、当該映像が記録されることを効率的に防止し得る。又、歌唱者等は、第２偏光手段を介することなく、第１偏光手段を介した光により、ディスプレイに表示された映像を把握し得るので、当該カラオケ装置は、カラオケサービスの魅力を損なうことはない。
【０００９】
本発明の一側面に係る請求項２記載のカラオケ装置は、請求項１記載のカラオケ装置であって、前記カラオケデータは、背景画像及び歌詞テロップを含み、前記制御情報は、当該カラオケデータに含まれる背景画像と歌詞テロップの少なくとも一方に関する記録の禁止するか否かを示し、前記偏光制御手段は、前記記録の禁止を示す制御情報に基づく制御信号を受信した場合に、前記第２偏光手段を前記撮像面の中心を軸に回転させ、前記第１偏光手段を透過した光を遮断し、前記記録の許可を示す制御情報に基づく制御信号を受信した場合に、前記第２偏光手段を前記撮像面の中心を軸に回転させ、前記第１偏光手段を透過した光を前記撮像面へ透過させることを特徴とする。
【００１０】
当該カラオケ装置は、再生するカラオケデータに係る背景画像と歌詞テロップの少なくとも一方の記録を禁止するか否かを示す制御情報に応じて、偏光制御手段を制御し、第２偏光手段によって、第１偏光手段を透過した光を撮像面へ透過するか否かを制御する。これにより、当該カラオケ装置は、映像の記録が禁止されている場合に、当該歌詞テロップや背景映像が記録されることを効率的に防止し得る。
【００１１】
本発明の一側面に係る請求項３記載のカラオケ装置は、請求項１又は請求項２記載のカラオケ装置であって、前記偏光制御手段は、前記第２偏光手段の吸収軸が前記第１偏光手段の偏光軸と平行な状態にすることで、前記第１偏光手段を透過した光を、前記第２偏光手段によって遮断し、前記第２偏光手段の偏光軸が前記第１偏光手段の偏光軸と平行な状態にすることで、前記第１偏光手段を透過した光を、前記撮像面へ透過させることを特徴とする。
【００１２】
当該カラオケ装置は、前記偏光制御手段により、前記第２偏光手段の吸収軸が前記第１偏光手段の偏光軸と平行な状態にすることで、前記第１偏光手段を透過した光を、前記第２偏光手段によって遮断し、前記第２偏光手段の偏光軸が前記第１偏光手段の偏光軸と平行な状態にすることで、前記第１偏光手段を透過した光を、前記撮像面へ透過させる。これにより、当該カラオケ装置は、映像の記録が禁止されている場合に、より確実に、当該映像が記録されることを防止し得る。
【００１３】
本発明の一側面に係る請求項４記載のカラオケ装置は、請求項１乃至請求項３の何れかに記載のカラオケ装置であって、前記ディスプレイは、液晶ディスプレイにより構成されていることを特徴とする。
【００１４】
当該カラオケ装置は、第１偏光手段及び映像出力装置を有するディスプレイを、液晶ディスプレイにより構成し得る。従って、当該カラオケ装置は、映像の記録が禁止されている場合に、汎用の液晶ディスプレイを用いて、当該映像が記録されることを効率的に防止し得る。
【００１５】
本発明の一側面に係る請求項５記載のカラオケシステムは、ディスプレイ、カメラ、コマンダからなるカラオケシステムにおいて、前記ディスプレイは、カラオケデータに含まれる映像信号に基づく光を出射する映像出力装置と、前記映像出力装置から出射された光における特定の直線偏光のみを透過する第１偏光手段と、を有し、前記カメラは、レンズを介して前記カメラの撮像手段の撮像面に入射された光に基づき撮影し、前記撮像面側に配設され、当該撮像面へ向かう光における特定の直線偏光のみを透過する第２偏光手段と、前記制御信号を受信した場合に、当該制御信号に基づいて、前記第２偏光手段を前記撮像面の中心を軸として回転させ、前記第１偏光手段を透過した光を遮断する偏光制御手段と、を有し、前記コマンダは、前記ディスプレイに接続され、前記カラオケデータに含まれる映像信号を、前記ディスプレイに出力可能であり、前記カメラに接続され、前記カメラが撮影した映像信号を記憶する記憶手段と、を有し、前記カラオケデータに対する制御情報を取得し、前記制御情報に基づいて、前記カメラに対して制御信号を出力することで、前記偏光制御手段を制御して、前記第１偏光手段を透過した光を遮断することを特徴とする。
【００１６】
当該カラオケシステムは、カラオケデータに対する制御情報に基づく制御信号に従って、前記偏光制御手段により、第２偏光手段を撮像面を軸として回転させ、前記第１偏光手段を透過した光を遮断する。これにより、当該カラオケシステムは、映像の記録が禁止されている場合に、当該映像が記録されることを効率的に防止し得る。又、歌唱者等は、第２偏光手段を介することなく、第１偏光手段を介した光により、ディスプレイに表示された映像を把握し得るので、当該カラオケシステムは、カラオケサービスの魅力を損なうことはない。
【００１７】
本発明の一側面に係る請求項６記載のカラオケシステムは、請求項５記載のカラオケシステムであって、前記ディスプレイは、液晶ディスプレイにより構成されていることを特徴とする。
【００１８】
当該カラオケシステムは、第１偏光手段及び映像出力装置を有するディスプレイを、液晶ディスプレイにより構成し得る。従って、当該カラオケシステムは、映像の記録が禁止されている場合に、汎用の液晶ディスプレイを用いて、当該映像が記録されることを効率的に防止し得る。
【発明の効果】
【００１９】
本発明によれば、記録が禁止されているカラオケコンテンツを用いた場合であっても、歌唱者の歌唱の様子を撮影し、映像として記録し得る。これにより、本発明は、カラオケ事業におけるサービスの多様化・充実化に貢献し得る。
【図面の簡単な説明】
【００２０】
【図１】カラオケシステムに関する説明図である。
【図２】カラオケシステムの制御構成に関する説明図である。
【図３】再生映像データに関する説明図である。
【図４】コマンダ制御処理プログラムのフローチャートである。
【図５】カメラ制御処理プログラムのフローチャートである。
【図６】ＳＴＢ制御処理プログラムのフローチャートである。
【図７】記録が許可されている場合の撮影に関する説明図である。
【図８】記録が禁止されている場合の撮影に関する説明図である。
【図９】ディスプレイの表示内容と撮影内容の関係を示す説明図である。
【発明を実施するための最良の形態】
【００２１】
以下、本発明の一実施形態について説明する。
【００２２】
（システム構成）
先ず、本発明の一実施形態に係るカラオケシステムの構成について、図１、図２を参照しつつ説明する。本実施形態に係るカラオケシステムは、各地のカラオケ店舗等に設置されたカラオケ装置１００と、通信網Ｎと、サーバ６００と、によって基本的に構成される（図２参照）。カラオケ装置１００は、カラオケ店舗の客室ごとに設置されている。カラオケ装置１００は、例えば、カラオケ店舗内に設置されるルータを介して、通信網Ｎによってサーバ６００と接続される。
【００２３】
尚、通信網Ｎは、どのような形態でもよく、例えば、有線、無線、有線及び無線の併用の何れであっても良い。更に、通信網Ｎは、インターネットを利用したＶＰＮ（Virtual Private Network）であってもよい。
【００２４】
（カラオケ装置の構成）
続いて、カラオケ装置１００の構成について説明する。当該カラオケ装置１００は、コマンダ２００、ＳＴＢ３００（セットトップボックス、Set Top Box）、カメラ４１０、第１ディスプレイ４２１、第２ディスプレイ４２２、マイク４３０、スピーカ４５０から構成されている。図１に示すように、歌唱者Ｓは、スピーカ４５０から出力される所望の楽曲に係る伴奏に合わせて、マイク４３０を用いてカラオケ歌唱を行う。この時、歌詞テロップ及び背景画像が、第１ディスプレイ４２１、第２ディスプレイ４２２に表示される（例えば、図９（ａ）、（ｃ）参照）。従って、歌唱者Ｓは、第２ディスプレイ４２２等における歌詞テロップの表示に従って、カラオケ歌唱を行い得る。
【００２５】
そして、カメラ４１０は、通常、歌唱者Ｓを撮影可能な位置に配置されている。従って、当該カラオケ装置１００は、カラオケ歌唱を行う歌唱者Ｓを撮影し得る。尚、当該カメラ４１０は、自由に移動させることができる。
【００２６】
尚、図１に示すカラオケ装置１００の外観は単なる一例であり、本発明は、当該外観を有するカラオケ装置１００に限定されるものではない。例えば、本実施形態においては、ディスプレイの数を２つとしているが、第２ディスプレイ４２２を省略して、第１ディスプレイ４２１のみで構成することも可能である。
【００２７】
（コマンダの構成）
次に、カラオケ装置１００を構成するコマンダ２００について、図２を参照しつつ説明する。コマンダ２００は、ＣＰＵ、ＲＯＭ、ＲＡＭ、映像データ再生部２１０、再生映像データ記憶部２２０、指示入力部２３０、音声再生部、補助記憶部を有している。
【００２８】
コマンダ２００のＣＰＵは、種々のプログラム（例えば、後述するコマンダ側制御処理プログラム）を実行する。コマンダ２００のＲＯＭは、種々のデータを記憶する。具体的には、コマンダ２００のＲＯＭは、コマンダ側制御処理プログラム（図４参照）を記憶している。コマンダ２００のＲＡＭは、種々のデータを一時的に記憶する。
【００２９】
映像データ再生部２１０は、再生映像データ記憶部２２０に格納されている再生映像データＰｖを読み出し、当該再生映像データＰｖに基づく映像の再生を行う。即ち、当該映像データ再生部２１０は、当該再生映像データＰｖと共に、マイク４３０から入力された音声信号Ｖｏを、第１ディスプレイ４２１、第２ディスプレイ４２２へ出力する。尚、映像データ再生部２１０は、ホスト（図示せず）から送信された再生映像データＰｖに基づいて、ストリーミング再生を行うことも可能である。
【００３０】
再生映像データ記憶部２２０は、カラオケ歌唱に用いられる楽曲に対応する再生映像データＰｖを記憶している。当該再生映像データＰｖに基づく映像は、カラオケ歌唱に際し、映像データ再生部２１０を介して、第１ディスプレイ４２１、第２ディスプレイ４２２に表示される。
【００３１】
ここで、再生映像データＰｖは、図９（ａ）、（ｃ）に示すように、背景映像及び歌詞テロップを含む。当該再生映像データＰｖに含まれる背景映像、歌詞テロップは、カラオケ歌唱のための「再生」は許可されているが、「記憶」が禁止されている場合がある。図１に示す歌唱態様においては、カメラ４１０が撮影する映像に、背景映像、歌詞テロップが映ることが想定される（図９（ｂ）参照）。
【００３２】
本実施形態に係るカラオケシステムにおいては、歌詞テロップ、背景映像の記録が禁止されている場合、著作権フラグが、当該再生映像データＰｖに対して付帯される（図３参照）。再生映像データＰｖに対する著作権フラグの有無は、背景映像、歌詞テロップの記憶が禁止されているか否かを示す。従って、コマンダ２００のＣＰＵは、著作権フラグの有無を確認することで、当該再生映像データＰｖに係る背景映像、歌詞テロップの記憶が禁止されているか否かを把握し得る。
【００３３】
尚、本実施形態では、再生映像データＰｖに対して著作権フラグを付帯させていたが、楽曲（再生映像データＰｖ）毎の著作権フラグをテーブルとして定義してもよい。この場合、当該テーブルは、コマンダ２００の記憶装置（例えば、再生映像データ記憶部２２０や、後述する補助記憶部）に記憶される。
【００３４】
指示入力部２３０は、カラオケ装置１００に関する各種指示の入力を受け付ける。当該指示入力部２３０は、コマンダ２００に配設されたコントロールパネルや、リモコン（図示せず）に対するユーザの操作入力を受け付ける。当該リモコンは、指示入力部２３０との間で、赤外線通信や電波通信可能に無線接続されている。そして、当該指示入力部２３０は、ユーザの操作に基づく撮影開始信号Ｓｔ、撮影終了信号Ｅｎや、後述する著作権信号Ｃｒを、カメラ４１０の制御部４１１へ出力する。又、当該指示入力部２３０は、ユーザの操作に基づくアップロード信号Ｕを、ＳＴＢ３００へ出力する。
【００３５】
コマンダ２００の音声再生部は、カラオケデータを構成する楽曲の再生を行う。コマンダ２００の補助記憶部は、例えば、楽曲の再生に必要な音声データ（楽音信号）等を記憶する。従って、当該音声再生部は、ユーザ所望の楽曲に係る音声データを読み出し、読み出した音声データを再生する。
【００３６】
尚、これらのデータは、サーバ６００からダウンロードすることができる。又、これらのデータのダウンロードは、ルータ（図示せず）を用いてもよい。ここで、リクエストされた楽曲は、リクエスト毎にサーバ６００のカラオケデータベースから補助記憶部へダウンロードしてもよい。又、リクエストされた楽曲を、ホストまたはコマンダ２００に一時的に記憶しておくように構成してもよい。更に、一度ダウンロードした楽曲は、所定時間のみ、ホストまたはコマンダ２００に記憶されるように構成し得る。
【００３７】
又、コマンダ２００から出力される音声信号Ｖｏは、マイク４３０から入力された音声信号Ｖｏのみに限定されるものではなく、楽音信号と、マイク４３０からの音声信号Ｖｏと、を混合した音声信号（以下、「混合音声信号」という。）の場合を含む。
【００３８】
（ＳＴＢの構成）
続いて、カラオケ装置１００を構成するＳＴＢ３００について、図２を参照しつつ説明する。ＳＴＢ３００は、ＣＰＵ、ＲＯＭ、ＲＡＭ、エンコーダ３１０、記憶部３２０を有している。
【００３９】
ＳＴＢ３００のＣＰＵは、各種制御プログラム（例えば、後述するＳＴＢ側制御処理プログラム）に基づいて、ＳＴＢ３００全体を制御する。ＳＴＢ３００のＲＯＭは、種々のデータを記憶する。具体的には、ＳＴＢ３００のＲＯＭは、ＳＴＢ側制御処理プログラム（図６参照）を記憶している。ＳＴＢ３００のＲＡＭは、種々のデータを一時的に記憶する。
【００４０】
エンコーダ３１０は、カメラ４１０から入力されたビデオ信号Ｖｉと、マイク４３０から入力された音声信号Ｖｏをエンコードし、撮影データを生成する。ここで、撮影データのフォーマットは適宜選択することができる。撮影データのフォーマットとしては、例えば、ＭＰＥＧフォーマットを採用し得る。尚、本実施形態においては、ＭＰＥＧフォーマットで生成された撮影データを「ＭＰＥＧデータＭ」という。
【００４１】
記憶部３２０は、エンコーダ３１０で生成されたＭＰＥＧデータＭを、投稿動画データＣｏとして記憶する。これにより、カメラ４１０からのビデオ信号Ｖｉ及びマイク４３０からの音声信号Ｖｏは、ＳＴＢ３００によってキャプチャされる。そして、記憶部３２０に記憶された投稿動画データＣｏは、後述するサーバ６００へのアップロードの対象となる。即ち、記憶部３２０に記憶された投稿動画データＣｏは、コマンダ２００から入力されるアップロード信号Ｕに基づいて、通信網Ｎを介して、サーバ６００の動画データベース６２０にアップロードされる。ここで、投稿動画データＣｏのアップロードに用いるルータは、カラオケデータをダウンロードする際に用いるルータと別個に構成してもよい。
【００４２】
尚、ＳＴＢ３００は、コマンダ２００に接続されている。そして、当該ＳＴＢ３００は、コマンダ２００に対する外部接続装置として機能する。即ち、本発明は、既存のコマンダ２００に対し、ＳＴＢ３００を接続することで実現し得る。コマンダ２００と、ＳＴＢ３００は、制御線を介して接続されており、種々の制御信号を用いて互いの機器を制御し得る。
【００４３】
（カメラの構成）
次に、カラオケ装置１００を構成するカメラ４１０について、図２を参照しつつ説明する。カメラ４１０は、基本的に、所謂、デジタルビデオカメラであり、制御部４１１、画像形成部４１２、位置センサ４１３、撮影側偏光フィルタ４１５、アクチュエータ４１６、レンズ（図示せず）を有している。
【００４４】
制御部４１１は、ＣＰＵ、ＲＯＭ、ＲＡＭを有している。制御部４１１のＣＰＵは、各種制御プログラム（例えば、後述するカメラ側制御処理プログラム）に基づいて、カメラ４１０全体を制御する。具体的には、制御部４１１のＣＰＵは、カメラ側制御プログラムに従って、後述するアクチュエータ制御信号Ａｃを出力し、アクチュエータ４１６を制御する。又、制御部４１１のＣＰＵは、コマンダ２００から出力された著作権信号Ｃｒ、撮影開始信号Ｓｔ、撮影終了信号Ｅｎに応じて、カメラ４１０による撮影に関する制御を行う。
【００４５】
制御部４１１のＲＯＭは、種々のデータを記憶する。具体的には、制御部４１１のＲＯＭは、カメラ側制御処理プログラム（図５参照）を記憶している。そして、制御部４１１のＲＡＭは、種々のデータを一時的に記憶する。
【００４６】
画像形成部４１２は、撮像面を有しており、レンズを介して、当該撮像面に入射された光（即ち、撮影映像信号Ｒ）に基づいて、ビデオ信号Ｖｉを生成する。そして、当該画像形成部４１２は、生成したビデオ信号Ｖｉを、ＳＴＢ３００のエンコーダ３１０へ出力する。当該画像形成部４１２の構成については、既に公知であるため、その詳細な説明を省略する。
【００４７】
位置センサ４１３は、当該カメラ４１０の姿勢を検出し、検出結果（位置検出信号Ｐｏ）を制御部４１１へ出力する。当該位置センサ４１３は、当該カメラ４１０の姿勢（レンズを軸とした傾き）を検出する。当該位置センサ４１３は、例えば、携帯電話の縦横位置に応じて画面表示情報を縦横に回転させる際に用いられる周知の加速度センサにより構成される。本実施形態においては、当該カメラ４１０の設置面に対して、カメラ４１０に規定されているＸ軸（水平軸、横軸）が平行である場合を「縦位置」といい、カメラ４１０の設置面に対して、カメラ４１０に規定されているＹ軸（鉛直軸、縦軸）が平行である場合を「横位置」という。
【００４８】
撮影側偏光フィルタ４１５は、フィルム状に形成され、画像形成部４１２の撮像面よりも、光の入射方向側に配設されている。当該撮影側偏光フィルタ４１５は、複数本の偏光軸Ｐａと、複数本の吸収軸を有している（図７、図８参照）。偏光軸Ｐａは、当該偏光フィルタが透過する特定の直線偏光の方向を示す。当該偏光軸Ｐａは、撮影側偏光フィルタ４１５において、所定方向に直線状に延び、相互に平行な状態で形成される（図７、図８参照）。吸収軸は、当該偏光軸Ｐａに直交する方向に直線状に延び、撮影側偏光フィルタ４１５に入射した光の所定成分を吸収する。そして、当該吸収軸は、撮影側偏光フィルタ４１５において、各吸収軸の間で、相互に平行な状態で形成される。従って、当該撮影側偏光フィルタ４１５は、偏光軸Ｐａに基づく特定の直線偏光を透過する。
【００４９】
アクチュエータ４１６は、撮影側偏光フィルタ４１５を、画像形成部４１２の撮像面中心軸Ｃを中心に、回転駆動させる。当該アクチュエータ４１６は、制御部４１１から入力されるアクチュエータ制御信号Ａｃに従って、回転駆動量を制御される。
【００５０】
尚、本実施形態においては、通常（即ち、著作権フラグが付帯されていない再生映像データＰｖを第１ディスプレイ４２１に表示する場合）、アクチュエータ４１６は、当該撮影側偏光フィルタ４１５の偏光軸Ｐａが表示側偏光フィルタ４２５の偏光軸Ｐａと平行な状態となるように、撮影側偏光フィルタ４１５の位置を調整する。
【００５１】
（その他の構成）
続いて、カラオケ装置１００を構成するその他の構成について、図１、図２を参照しつつ説明する。第１ディスプレイ４２１、第２ディスプレイ４２２は、所謂、液晶ディスプレイにより構成される。即ち、第１ディスプレイ４２１、第２ディスプレイ４２２は、映像出力部と、表示側偏光フィルタ４２５と、を有している。
【００５２】
第１ディスプレイ４２１、第２ディスプレイ４２２の映像出力部は、入力された映像信号（例えば、再生映像データＰｖ）に基づく光を、画面から外方向に出射する。尚、当該映像出力部は、ブラウン管ディスプレイ、プラズマディスプレイにより構成し得る。
【００５３】
表示側偏光フィルタ４２５は、第１ディスプレイ４２１、第２ディスプレイ４２２に係る映像出力部の画面上に配設されている。当該表示側偏光フィルタ４２５は、複数本の偏光軸Ｐａと、複数本の吸収軸を有している（図７、図８参照）。そして、表示側偏光フィルタ４２５は、偏光軸Ｐａが第１ディスプレイ４２１、第２ディスプレイ４２２の縦方向と平行となる状態で、各映像出力部の画面上に配設されている（図７、図８参照）。従って、表示側偏光フィルタ４２５は、第１ディスプレイ４２１、第２ディスプレイ４２２の映像出力部から出力された光の内、当該偏光軸Ｐａに対応する特定の直線偏光Ｐのみを透過する。
【００５４】
マイク４３０は、歌唱者Ｓがカラオケ歌唱を行う際に用いられ、当該歌唱等に基づく音声信号Ｖｏを、コマンダ２００及びエンコーダ３１０に入力する。尚、マイク４３０の個数は、適宜設定可能である。そして、スピーカ４５０は、アンプ（図示せず）を介して、コマンダ２００と接続されている。コマンダ２００から出力された音声信号Ｖｏは、アンプにより増幅されて、当該スピーカ４５０から出力される（図１参照）。
【００５５】
次に、本実施形態に係るカラオケシステムを構成するサーバ６００の構成について、図面を参照しつつ詳細に説明する。図２に示すように、サーバ６００は、投稿動画データベース６１０を有している。投稿動画データベース６１０は、カラオケ装置１００からアップロードされた投稿動画データＣｏを記憶している。又、投稿動画データベース６１０は、パソコン等を介して、アクセスされ得る。
【００５６】
又、当該サーバ６００は、カラオケデータベース（図示せず）を有している。当該カラオケデータベースは、カラオケ楽曲の再生に用いられるカラオケデータを記憶している。カラオケデータは、カラオケ楽曲の生成起源となる音声データと、カラオケ楽曲の再生中に表示される歌詞テロップ及び背景映像（動画、静止画）の生成起源となる再生映像データＰｖと、を含む。又、サーバ６００は、カラオケデータベースに記憶されているカラオケデータを、各カラオケ店舗に配信する。
【００５７】
尚、上記内部構成は単なる一例である。又、本発明は、上述した内部構成と均等な内部構成で実現することができることはいうまでもない。
【００５８】
（コマンダ側制御処理の内容）
続いて、カラオケ装置１００に係るコマンダ２００で実行されるコマンダ側制御処理プログラムについて、図４を参照しつつ詳細に説明する。当該コマンダ側制御処理プログラムは、コマンダ２００のＣＰＵによって、実行される。
【００５９】
先ず、Ｓ１においては、コマンダ２００は、リモコン等からの操作信号に基づいて、楽曲再生指示があったか否かを判断する。楽曲再生指示があった場合（Ｓ１：ＹＥＳ）、コマンダ２００は、Ｓ２に処理を移行する。楽曲再生指示がない場合（Ｓ１：ＮＯ）、コマンダ２００は、処理を待機する。
【００６０】
Ｓ２に移行すると、コマンダ２００は、ユーザ所望の楽曲を再生する。この時、コマンダ２００は、当該楽曲に係る再生映像データＰｖを再生映像データ記憶部２２０から読み出し、マイク４３０から入力された音声信号Ｖｏとともに、第１ディスプレイ４２１、第２ディスプレイ４２２、スピーカ４５０へ出力する。その後、コマンダ２００は、Ｓ３に処理を移行する。
【００６１】
Ｓ３では、コマンダ２００は、リモコン等からの操作信号に基づいて、投稿指示があったか否かを判断する。投稿指示があった場合（Ｓ３：ＹＥＳ）、コマンダ２００は、アップロード信号ＵをＳＴＢ３００に出力する。アップロード信号Ｕを出力した後、コマンダ２００は、Ｓ４に処理を移行する。投稿指示がなかった場合（Ｓ３：ＮＯ）、コマンダ２００は、Ｓ７に処理を移行する。
【００６２】
Ｓ４においては、コマンダ２００は、当該楽曲に係る再生映像データＰｖに対して、著作権フラグが付帯されているか否かを判断する。著作権フラグが付帯されている場合（Ｓ４：ＹＥＳ）、コマンダ２００は、Ｓ５に処理を移行する。著作権フラグが付帯されていない場合（Ｓ４：ＮＯ）、コマンダ２００は、Ｓ６に処理を移行する。
【００６３】
Ｓ５に移行すると、コマンダ２００は、著作権信号出力処理を実行する。著作権信号出力処理（Ｓ５）では、コマンダ２００は、当該楽曲の再生映像データＰｖに著作権フラグが付帯されているため、再生映像データＰｖの記録が禁止されているものと判断し、著作権信号Ｃｒをカメラ４１０へ出力する。著作権信号Ｃｒを出力した後、コマンダ２００は、Ｓ６に処理を移行する。
【００６４】
Ｓ６では、コマンダ２００は、撮影開始信号出力処理を実行する。撮影開始信号出力処理（Ｓ６）においては、コマンダ２００は、撮影開始信号Ｓｔを、カメラ４１０に出力する。これにより、カメラ４１０は、歌唱者Ｓの歌唱の様子に関する撮影を開始する。撮影開始信号Ｓｔを出力した後、コマンダ２００は、Ｓ７に処理を移行する。
【００６５】
Ｓ７においては、コマンダ２００は、楽曲（即ち、再生映像データＰｖに基づく映像）の再生が終了したか否かを判断する。楽曲の再生を終了した場合（Ｓ７：ＹＥＳ）、コマンダ２００は、Ｓ８に処理を移行する。一方、楽曲が未だ再生中である場合（Ｓ７：ＮＯ）、コマンダ２００は、楽曲の再生が終了するまで、処理を待機する。
【００６６】
Ｓ８に移行すると、コマンダ２００は、撮影終了信号出力処理を実行する。撮影終了信号出力処理（Ｓ８）では、コマンダ２００は、楽曲の再生終了に伴い、歌唱者Ｓの歌唱が終了したものと判断し、撮影終了信号Ｅｎをカメラ４１０に出力する。これにより、カメラ４１０は、歌唱者Ｓの歌唱の様子に関する撮影を終了し、コマンダ側制御処理プログラムを終了する。
【００６７】
（カメラ側制御処理の内容）
次に、カラオケ装置１００に係るカメラ４１０で実行されるカメラ側制御処理プログラムについて、図５を参照しつつ詳細に説明する。当該カメラ側制御処理プログラムは、カメラ４１０の制御部４１１（即ち、ＣＰＵ）により実行される。
【００６８】
尚、当該カメラ側制御処理プログラムの実行を開始する前に、カメラ４１０の制御部４１１は、初期設定処理を実行する。当該初期設定処理について説明する。通常カラオケボックスでは、店員がカラオケシステムの電源オン操作や初期設置（例えば、カメラ４１０を横位置にして設置する）等を行う。よって、電源オンになると、制御部４１１は、カメラ４１０を横位置（横位置の状態が著作権フラグ無し）であるとして、撮影側偏光フィルタ４１５の偏光軸Ｐａが表示側偏光フィルタ４２５の偏光軸Ｐａと平行になる位置になるように、アクチュエータ４１６を駆動制御し、カメラ４１０の初期位置を設定する。
【００６９】
この点、カメラ４１０に操作入力手段を設けておき、電源オンを行った後、店員が、カメラ４１０の初期位置を入力することで、カメラ位置の初期設定を行うように構成することもできる。この場合、後述するＳ１３の状態に応じて、アクチュエータ４１６を回転制御すればよい。
【００７０】
先ず、Ｓ１１においては、制御部４１１は、コマンダ２００から出力された撮影開始信号Ｓｔを受信したか否かを判断する。撮影開始信号Ｓｔを受信している場合（Ｓ１１：ＹＥＳ）、制御部４１１は、歌唱者Ｓの歌唱の様子に関する撮影を開始すると共に、Ｓ１２に処理を移行する。一方、撮影開始信号Ｓｔを受信していない場合（Ｓ１１：ＮＯ）、制御部４１１は、カメラ４１０による撮影を行うことなく、処理を待機する。
【００７１】
Ｓ１２に移行すると、制御部４１１は、コマンダ２００から出力された著作権信号Ｃｒを受信したか否かを判断する。著作権信号Ｃｒを受信した場合（Ｓ１２：ＹＥＳ）、制御部４１１は、Ｓ１３に処理を移行する。一方、著作権信号Ｃｒを受信していない場合（Ｓ１２：ＮＯ）、制御部４１１は、Ｓ１６に処理を移行する。
【００７２】
Ｓ１３では、制御部４１１は、位置センサ４１３の検出結果に基づいて、当該カメラ４１０の姿勢が縦位置（Ｘ）であるか、横位置（Ｙ）であるかを判断する。当該カメラ４１０の位置が縦位置である場合（Ｓ１３：Ｘ）、制御部４１１は、Ｓ１４に処理を移行する。一方、当該カメラ４１０の位置が横位置である場合（Ｓ１３：Ｙ）、制御部４１１は、Ｓ１５に処理を移行する。
【００７３】
Ｓ１４においては、制御部４１１は、Ｘ軸を基準としたアクチュエータ制御処理を実行する。アクチュエータ制御処理（Ｓ１４）では、制御部４１１は、アクチュエータ制御信号Ａｃを出力し、アクチュエータ４１６を駆動制御する。このアクチュエータ４１６の駆動により、撮影側偏光フィルタ４１５は、撮像面中心軸Ｃを中心に、Ｘ軸を基準として所定量回転する。この結果、撮影側偏光フィルタ４１５の偏光軸Ｐａは、縦方向に延びる表示側偏光フィルタ４２５の偏光軸Ｐａと撮像面において直交する。同時に、撮影側偏光フィルタ４１５の吸収軸は、表示側偏光フィルタ４２５の偏光軸Ｐａと平行な位置となる。アクチュエータ４１６により、撮影側偏光フィルタ４１５を所定量回転させた後、制御部４１１は、Ｓ１６に処理を移行する。
【００７４】
Ｓ１５に移行すると、制御部４１１は、Ｙ軸を基準としたアクチュエータ制御処理を実行する。アクチュエータ制御処理（Ｓ１５）では、制御部４１１は、アクチュエータ制御信号Ａｃを出力し、アクチュエータ４１６を駆動制御する。このアクチュエータ４１６の駆動により、撮影側偏光フィルタ４１５は、撮像面中心軸Ｃを中心に、Ｙ軸を基準として所定量回転する。この場合も、撮影側偏光フィルタ４１５の偏光軸Ｐａは、縦方向に延びる表示側偏光フィルタ４２５の偏光軸Ｐａと撮像面において直交する。同時に、撮影側偏光フィルタ４１５の吸収軸は、表示側偏光フィルタ４２５の偏光軸Ｐａと平行な位置となる。アクチュエータ４１６により、撮影側偏光フィルタ４１５を所定量回転させた後、制御部４１１は、Ｓ１６に処理を移行する。
【００７５】
Ｓ１６では、制御部４１１は、ビデオ信号出力処理を実行する。ビデオ信号出力処理（Ｓ１６）では、制御部４１１は、画像形成部４１２により、当該カメラ４１０で撮影したビデオ信号Ｖｉを、ＳＴＢ３００へ出力する。ビデオ信号出力処理を終了すると、制御部４１１は、Ｓ１７に処理を終了する。
【００７６】
Ｓ１７においては、制御部４１１は、コマンダ２００から出力された撮影終了信号Ｅｎを受信したか否かを判断する。撮影終了信号Ｅｎを受信している場合（Ｓ１７：ＹＥＳ）、制御部４１１は、歌唱者Ｓの歌唱の様子に関する撮影を終了し、カメラ側制御処理プログラムを終了する。一方、撮影終了信号Ｅｎを受信していない場合（Ｓ１７：ＮＯ）、制御部４１１は、Ｓ１２に処理を戻す。
【００７７】
（ＳＴＢ側制御処理の内容）
続いて、カラオケ装置１００に係るＳＴＢ３００で実行されるＳＴＢ側制御処理プログラムについて、図６を参照しつつ詳細に説明する。当該ＳＴＢ側制御処理プログラムは、ＳＴＢ３００のＣＰＵによって、実行される。
【００７８】
先ず、Ｓ２１においては、ＳＴＢ３００は、カメラ４１０から出力されたビデオ信号Ｖｉを受信したか否かを判断する。ビデオ信号Ｖｉを受信している場合（Ｓ２１：ＹＥＳ）、ＳＴＢ３００は、Ｓ２２に処理を移行する。ビデオ信号Ｖｉを受信していない場合（Ｓ２１：ＮＯ）、ＳＴＢ３００は、処理を待機する。
【００７９】
Ｓ２２に移行すると、ＳＴＢ３００は、投稿動画生成処理を実行する。投稿動画生成処理（Ｓ２２）では、ＳＴＢ３００は、先ず、撮影された全てのビデオ信号Ｖｉと、音声信号Ｖｏとをエンコーダ３１０によりエンコードして、ＭＰＥＧデータＭを生成する。そして、ＳＴＢ３００は、生成したＭＰＥＧデータＭを、投稿動画データＣｏとして記憶部３２０に格納する。投稿動画データＣｏを記憶部３２０に格納した後、ＳＴＢ３００は、Ｓ２３に処理を移行する。
【００８０】
Ｓ２３では、ＳＴＢ３００は、コマンダ２００から出力されたアップロード信号Ｕを受信したか否かに基づいて、アップロード指示があったか否かを判断する。アップロード指示があった場合（Ｓ２３：ＹＥＳ）、ＳＴＢ３００は、Ｓ２４に処理を移行する。一方、アップロード指示がなかった場合（Ｓ２３：ＮＯ）、ＳＴＢ３００は、処理を待機する。
【００８１】
Ｓ２４においては、ＳＴＢ３００は、投稿動画アップロード処理を実行する。投稿動画アップロード処理（Ｓ２４）では、ＳＴＢ３００は、投稿動画生成処理（Ｓ２２）で生成された投稿動画データＣｏを、記憶部３２０から読み出し、通信網Ｎを介して、サーバ６００の投稿動画データベース６１０へアップロードする。サーバ６００への投稿動画データＣｏのアップロードを終了すると、ＳＴＢ３００は、投稿動画アップロード処理を終了し、ＳＴＢ側制御処理プログラムを終了する。
【００８２】
（記録許可映像再生時の撮影内容）
次に、本実施形態に係るカラオケシステムにおいて、記録許可映像が第１ディスプレイ４２１等で再生されている場合における撮影内容について、図８、図９を参照しつつ詳細に説明する。ここで、記録許可映像とは、歌詞テロップ、背景映像の記録が許可されている映像であり、著作権フラグが付帯されていない再生映像データＰｖを意味する。
【００８３】
ここで、記録許可映像に係る楽曲を歌唱する歌唱者Ｓの様子を撮影する場合、第１ディスプレイ４２１、第２ディスプレイ４２２（以下、第１ディスプレイ４２１等という）は、当該記録許可映像に係る再生映像データＰｖに基づいて、歌詞テロップ、背景映像を含む映像を出力する（図９（ａ）参照）。この時、第１ディスプレイ４２１等の映像出力部は、当該再生映像データＰｖに基づく光を、表示側偏光フィルタ４２５へ向かって出射する。当該映像出力部から出射された光は、例えば、円偏光又は楕円偏光である。
【００８４】
第１ディスプレイ４２１等の映像出力部から出射された光は、表示側偏光フィルタ４２５を透過する際に、当該表示側偏光フィルタ４２５の吸収軸によって、当該光の所定成分が吸収され、当該表示側偏光フィルタ４２５の偏光軸Ｐａに対応する特定の直線偏光Ｐとなって、第１ディスプレイ４２１等の外部へ出射される（図７参照）。
【００８５】
上述したように、本実施形態に係るカラオケシステムにおいては、コマンダ２００は、記録許可映像に係る楽曲を歌唱する歌唱者Ｓの様子を撮影する場合、著作権信号Ｃｒをカメラ４１０に出力することなく、当該歌唱者Ｓの撮影を行う。この時、撮影側偏光フィルタ４１５は、当該撮影側偏光フィルタ４１５の偏光軸Ｐａが表示側偏光フィルタ４２５の偏光軸Ｐａと平行になる位置に位置する（図７参照）。
【００８６】
従って、第１ディスプレイ４２１等の映像出力部から表示側偏光フィルタ４２５を透過した直線偏光Ｐは、撮影側偏光フィルタ４１５の吸収軸により除去されることなく、撮影側偏光フィルタ４１５の偏光軸Ｐａによって、そのまま、画像形成部４１２の撮像面に入射される（図７参照）。
【００８７】
尚、表示側偏光フィルタ４２５を透過していない光（即ち、自然光等）は、撮影側偏光フィルタ４１５を透過すると、撮影側偏光フィルタ４１５の偏光軸Ｐａに対応する直線偏光Ｐとなり、画像形成部４１２の撮像面に入射される。従って、歌唱者Ｓの歌唱の様子等は、確実にカメラ４１０により撮影される。
【００８８】
この結果、図９（ｃ）に示すように、記録許可映像に係る楽曲を歌唱する歌唱者Ｓの様子を撮影した場合、当該撮影映像は、第１ディスプレイ４２１等の表示内容（即ち、歌詞テロップ及び背景映像）を把握し得る状態で含む。従って、当該カラオケ装置１００は、歌唱者Ｓと共に、記録許可映像を表示する第１ディスプレイ４２１等を撮影し得る。そして、当該カラオケ装置１００は、ユーザからのアップロード信号Ｕに基づいて、記録許可映像に係る第１ディスプレイ４２１等の表示内容を含む投稿動画データＣｏを、サーバ６００の投稿動画データベース６１０にアップロードし得る。
【００８９】
（記録禁止映像再生時の撮影内容）
続いて、本実施形態に係るカラオケシステムにおいて、記録禁止映像が第１ディスプレイ４２１等で再生されている場合における撮影内容について、図８、図９を参照しつつ詳細に説明する。ここで、記録禁止映像とは、歌詞テロップ、背景映像の記録が禁止されている映像であり、著作権フラグが付帯されている再生映像データＰｖを意味する。
【００９０】
記録禁止映像に係る楽曲を歌唱する歌唱者Ｓの様子を撮影する場合、第１ディスプレイ４２１等は、当該記録禁止映像に係る再生映像データＰｖに基づいて、歌詞テロップ、背景映像を含む映像を出力する（図９（ｂ）参照）。この場合、第１ディスプレイ４２１等の映像出力部は、当該再生映像データＰｖに基づく光（例えば、円偏光又は楕円偏光）を、表示側偏光フィルタ４２５へ向かって出射する。
【００９１】
この場合も、第１ディスプレイ４２１等の映像出力部から出射された光は、表示側偏光フィルタ４２５を透過する際に、当該表示側偏光フィルタ４２５の吸収軸によって、当該光の所定成分が吸収され、当該表示側偏光フィルタ４２５の偏光軸Ｐａに対応する特定の直線偏光Ｐとなって、第１ディスプレイ４２１等の外部へ出射される（図８参照）。
【００９２】
ここで、本実施形態に係るカラオケシステムにおいては、コマンダ２００は、記録禁止映像に係る楽曲を歌唱する歌唱者Ｓの様子を撮影する場合、著作権信号Ｃｒをカメラ４１０に出力し、アクチュエータ４１６を駆動制御した後、当該歌唱者Ｓの撮影を行う。この時、撮影側偏光フィルタ４１５は、当該撮影側偏光フィルタ４１５の吸収軸が表示側偏光フィルタ４２５の偏光軸Ｐａと平行になる位置に位置する。この時、撮影側偏光フィルタ４１５の偏光軸Ｐａは、画像形成部４１２の撮像面に投影した場合に、表示側偏光フィルタ４２５の偏光軸Ｐａと直交する（図８参照）。
【００９３】
従って、第１ディスプレイ４２１等の映像出力部から表示側偏光フィルタ４２５を透過した直線偏光Ｐは、撮影側偏光フィルタ４１５の吸収軸により除去される。即ち、第１ディスプレイ４２１等の表示側偏光フィルタ４２５を透過した光は、撮影側偏光フィルタ４１５により遮断され、画像形成部４１２の撮像面に到達することはない（図８参照）。
【００９４】
この結果、図９（ｄ）に示すように、記録禁止映像に係る楽曲を歌唱する歌唱者Ｓの様子を撮影した場合、当該撮影映像は、第１ディスプレイ４２１等の表示内容（即ち、歌詞テロップ及び背景映像）を把握し得る態様で含むことはない。従って、当該カラオケ装置１００は、記録禁止映像を表示する第１ディスプレイ４２１等の内容を記録することなく、歌唱者Ｓの歌唱の様子を撮影し得る。そして、当該カラオケ装置１００は、ユーザからのアップロード信号Ｕに基づいて、記録禁止映像に係る第１ディスプレイ４２１等の表示内容を含むことなく、歌唱者Ｓの様子を撮影した投稿動画データＣｏを、サーバ６００の投稿動画データベース６１０にアップロードし得る。
【００９５】
以上、説明したように、本発明は、カラオケ装置１００と、サーバ６００と、を有するカラオケシステムであって、カラオケ装置１００は、コマンダ２００、ＳＴＢ３００、カメラ４１０等を有する。著作権フラグが付帯されている再生映像データＰｖに係る楽曲について歌唱者Ｓが歌唱する様子を、カメラ４１０で撮影し、その内容をアップロードする場合、カラオケ装置１００は、再生映像データＰｖに係るビデオ信号Ｖｉを第１ディスプレイ４２１等に出力する。この時、当該カラオケ装置１００は、カメラ４１０のアクチュエータ４１６を制御し、撮影側偏光フィルタ４１５を、撮影側偏光フィルタ４１５の吸収軸と表示側偏光フィルタ４２５の偏光軸Ｐａが平行な状態とする。これにより、第１ディスプレイ４２１等における撮影禁止映像の表示に伴う光は、撮影側偏光フィルタ４１５により遮断され、カメラ４１０により記録されることはない。従って、当該カラオケシステム及びカラオケ装置は、記録禁止映像の内容を含む映像データを記録することはなく、当該映像データをサーバ６００にアップロードすることもない。
【００９６】
一方、著作権フラグが付帯されていない再生映像データＰｖ係る楽曲について歌唱者Ｓが歌唱する様子を、カメラ４１０で撮影し、その内容をアップロードする場合、カラオケ装置１００は、再生映像データＰｖに係るビデオ信号Ｖｉを第１ディスプレイ４２１等に出力する。この場合、当該カラオケ装置１００は、カメラ４１０のアクチュエータ４１６を制御し、撮影側偏光フィルタ４１５を、撮影側偏光フィルタ４１５の偏光軸Ｐａと表示側偏光フィルタ４２５の偏光軸Ｐａが平行な状態とする。これにより、第１ディスプレイ４２１等における撮影許可映像の表示に伴う光は、撮影側偏光フィルタ４１５を透過し、カメラ４１０により記録される。従って、当該カラオケシステム及びカラオケ装置は、記録許可映像の内容を含む映像データを記録し、当該映像データをサーバ６００にアップロードし得る。
【００９７】
この結果、記録が禁止されているカラオケコンテンツ（即ち、記録禁止映像）を用いた場合であっても、歌唱者Ｓの歌唱の様子を撮影し、アップロードすることができるので、当該カラオケシステム及びカラオケ装置は、カラオケ事業におけるサービスの多様化・充実化に貢献し得る。記録が許可されているカラオケコンテンツ（即ち、記録許可映像）を用いた場合、歌唱者Ｓの歌唱の様子と共に、第１ディスプレイ４２１等の表示内容を撮影し、アップロードすることができるので、当該カラオケシステム及びカラオケ装置は、カラオケ事業におけるサービスの多様化・充実化に貢献し得る。
【００９８】
又、第１ディスプレイ４２１等から光は、撮影側偏光フィルタ４１５により遮断されるので、記録禁止映像の内容は、カメラ４１０での撮影映像においてのみ、把握不能な態様となる。即ち、歌唱者Ｓを含むユーザは、第１ディスプレイ４２１等を把握し得るので、記録禁止映像に含まれる歌詞テロップ及び背景映像を見ながら、カラオケサービスを楽しむことができる。
【００９９】
以上、実施形態に基づき本発明を説明したが、本発明は上述した実施形態に何ら限定されるものではなく、本発明の趣旨を逸脱しない範囲内で種々の改良変更が可能である。例えば、上述した実施形態においては、カメラ４１０は、デジタルビデオカメラにより構成されているが、この態様に限定されるものではない。即ち、本発明は、カメラ４１０に、フィルムカメラを用いた場合であっても、上述の実施形態と同様の効果を奏する。又、当該カメラ４１０は、静止画を撮影するものであってもよい。
【０１００】
又、上述した実施形態において、著作権フラグが付帯されていない再生映像データＰｖを、第１ディスプレイ４２１等に出力する際に、表示側偏光フィルタ４２５の偏光軸Ｐａと平行になるように、アクチュエータ４１６を制御することも可能である。これにより、当該カラオケシステム等によれば、カメラ４１０が縦位置であるか横位置であるかに関わらず、記録許可映像を含む歌唱者Ｓの歌唱の様子を撮影し得る。
【０１０１】
そして、上述した実施形態において、記録禁止映像の撮影を行う際に、撮影側偏光フィルタ４１５の偏光軸Ｐａが、表示側偏光フィルタ４２５の偏光軸Ｐａと、撮像面に投影した場合に直交するように構成していたが、この態様に限定するものではない。即ち、撮影側偏光フィルタ４１５が、表示側偏光フィルタ４２５を透過した直線偏光Ｐを遮断し、記録禁止映像の内容を把握しえない態様で撮影することができれば、撮影側偏光フィルタ４１５及び表示側偏光フィルタ４２５の偏光軸Ｐａがなす角度は問わない。例えば、撮影側偏光フィルタ４１５の偏光軸Ｐａが、表示側偏光フィルタ４２５の偏光軸Ｐａと、７０度から１１０度の角度で交差するように構成することも可能である。
【０１０２】
更に、上述した各フローチャートは単なる一例であり、該各フローチャートの処理と同等の結果を得ることできるものであれば、他のフローチャートによって処理を実現してもよい。
【０１０３】
そして、上述したカラオケ装置、カラオケシステム、ＳＴＢに係る方法、該方法をコンピュータに実行させるためのプログラム、該プログラムを記録した記録媒体等としても本発明は実現可能である。
【符号の説明】
【０１０４】
１００  カラオケ装置
２００  コマンダ
２２０  再生映像データ記憶部
３００  ＳＴＢ
３２０  記憶部
４１０  カメラ
４１１  制御部
４１２  画像形成部
４１５  撮影側偏光フィルタ
４１６  アクチュエータ
４２１  第１ディスプレイ
４２２  第２ディスプレイ
４２５  表示側偏光フィルタ
４５０  スピーカ
Ｐｖ    再生映像データ
Ｃｒ    著作権信号
Ｐ      直線偏光
【図１】
2011137983.tif 000003
【図２】
2011137983.tif 000004
【図３】
2011137983.tif 000005
【図４】
2011137983.tif 000006
【図５】
2011137983.tif 000007
【図６】
2011137983.tif 000008
【図７】
2011137983.tif 000009
【図８】
2011137983.tif 000010
【図９】
2011137983.tif 000011